(57)【要約】【課題】操作キーの部品コストの削減を図ると共に、操作性の向上を図ることが可能な計量装置を提供する。【解決手段】被計量物が載置される計量皿と、計量皿に加わる荷重を検出するロードセルと、ロードセルによって検出された荷重に基づいて前記被計量物の重量を計量するＣＰＵと、を具備する計量装置であって、ＣＰＵは、計量皿に加わる荷重に応じて当該計量装置の操作を行う。また、ＣＰＵ３３は、予め設定された所定のパターンの荷重が計量皿２０に加わった場合に前記計量装置１の操作を行う【選択図】図４
2014163668.tif 000002
【特許請求の範囲】
【請求項１】
被計量物が載置される載置部と、
前記載置部に加わる荷重を検出する荷重検出手段と、
前記荷重検出手段によって検出された荷重に基づいて前記被計量物の重量を計量する制御手段と、
を具備する計量装置であって、
前記制御手段は、
前記載置部に加わる荷重に応じて当該計量装置の操作を行うことが可能であることを特徴とする計量装置。
【請求項２】
前記制御手段は、
予め設定された所定のパターンの荷重が前記載置部に加わった場合に前記計量装置の操作を行うことを特徴とする、
請求項１に記載の計量装置。
【請求項３】
前記計量装置の操作には、
前記被計量物の重量を計量する計量モード及び各種の設定を行う設定モードを含む、少なくとも２つのモードを切り替える操作、
ゼロ点を調整する操作、
前記被計量物の目標重量を設定する操作、
風袋引きを設定する操作、
又は電源の入切を切り替える操作のうち、
少なくとも１つの操作が含まれることを特徴とする、
請求項１又は請求項２に記載の計量装置。
【請求項４】
前記載置部とは別に設けられ、利用者による操作を検出する操作検出手段をさらに具備し、
前記制御手段は、
前記操作検出手段による操作と前記載置部に加わる荷重との組み合わせによって前記計量装置の操作を行うことを特徴とする、
請求項１から請求項３までのいずれか一項に記載の計量装置。
【発明の詳細な説明】
【技術分野】
【０００１】
本発明は、載置部に載置された被計量物の重量を計量する計量装置の技術に関する。
【背景技術】
【０００２】
従来、載置部に載置された被計量物の重量を計量する計量装置の技術は公知となっている。例えば、特許文献１に記載の如くである。
【０００３】
特許文献１に記載の計量装置は、被計量物が載置される計量皿（載置部）と、当該計量皿に加わる荷重を検出するロードセル等が内包された本体部と、を具備する。また、本体部の前面には表示部やキースイッチ（操作キー）が設けられる。
【０００４】
このような計量装置において、利用者は操作キーを押圧して操作することにより、ゼロ点の調整、被計量物の目標重量（上下限値）の設定、及び風袋引きの設定等の各種操作を行うことができる。
【０００５】
しかしながら、このように各種操作を行う計量装置においては、操作の種類に応じて多くの操作キーが設けられる傾向がある。多くの操作キーを設けると、それに応じて部品コストが増加したり、操作キーの種類が増えて操作性が悪化（誤操作が発生）したりする点で不利であった。
【０００６】
また、計量装置の小型化を図る場合、操作キーの配置スペースや、当該操作キー自体を小さくする必要があり、より操作性が悪化する点でも不利であった。
【先行技術文献】
【特許文献】
【０００７】
【特許文献１】特開２０１２−１２５６７６号公報
【発明の概要】
【発明が解決しようとする課題】
【０００８】
本発明は以上の如き状況に鑑みてなされたものであり、その解決しようとする課題は、操作キーの部品コストの削減を図ると共に、操作性の向上を図ることが可能な計量装置を提供することである。
【課題を解決するための手段】
【０００９】
本発明の解決しようとする課題は以上の如くであり、次にこの課題を解決するための手段を説明する。
【００１０】
即ち、請求項１においては、被計量物が載置される載置部と、前記載置部に加わる荷重を検出する荷重検出手段と、前記荷重検出手段によって検出された荷重に基づいて前記被計量物の重量を計量する制御手段と、を具備する計量装置であって、前記制御手段は、前記載置部に加わる荷重に応じて当該計量装置の操作を行うことが可能であるものである。
【００１１】
請求項２においては、前記制御手段は、予め設定された所定のパターンの荷重が前記載置部に加わった場合に前記計量装置の操作を行うものである。
【００１２】
請求項３においては、前記計量装置の操作には、前記被計量物の重量を計量する計量モード及び各種の設定を行う設定モードを含む、少なくとも２つのモードを切り替える操作、ゼロ点を調整する操作、前記被計量物の目標重量を設定する操作、風袋引きを設定する操作、又は電源の入切を切り替える操作のうち、少なくとも１つの操作が含まれるものである。
【００１３】
請求項４においては、前記載置部とは別に設けられ、利用者による操作を検出する操作検出手段をさらに具備し、前記制御手段は、前記操作検出手段による操作と前記載置部に加わる荷重との組み合わせによって前記計量装置の操作を行うものである。
【発明の効果】
【００１４】
本発明は、操作キーの部品コストの削減を図ると共に、操作性の向上を図ることができる、という効果を奏する。
【図面の簡単な説明】
【００１５】
【図１】本発明の一実施形態に係る計量装置を示した斜視図。
【図２】同じく、側面断面図。
【図３】計量装置の制御に関する構成を示したブロック図。
【図４】（ａ）電源をオンに切り替える操作の検出パターンを示したタイムチャート（ｂ）電源をオフに切り替える操作の検出パターンを示したタイムチャート。
【図５】設定モードへ切り替える操作の検出パターンを示したタイムチャート。
【図６】設定モードの各項目の階層構造を示した図。
【図７】計量装置の変形例を示した平面図。
【発明を実施するための形態】
【００１６】
以下では、図中に示した矢印に従って、前後方向、上下方向及び左右方向をそれぞれ定義する。
【００１７】
まず、図１及び図２を用いて、本発明に係る計量装置の一実施形態に係る計量装置１の概略構成について説明する。
【００１８】
計量装置１は、被計量物の重量を計量するものである。計量装置１は、主として本体部１０及び計量皿２０を具備する。
【００１９】
本体部１０は、計量装置１の主たる構造体となるものである。本体部１０は、主として筐体１１、乾電池１２、ロードセル１４、操作キー１５、表示部１６及び制御基板１７を具備する。
【００２０】
筐体１１は、略箱状に形成される部材である。筐体１１の前面は、後上方から前下方に向けて傾斜するように形成される。
【００２１】
乾電池１２は、計量装置１の電源となるものである。乾電池１２は、筐体１１内の前部に配置される。乾電池１２は、筐体１１の下部（底面）から交換可能となるように構成される。
【００２２】
ロードセル１４は、本発明に係る荷重検出手段の一実施形態であり、荷重を検出するセンサである。ロードセル１４は、主として起歪体１４ａ及び受け部１４ｂを具備する。
【００２３】
起歪体１４ａは、外力によってひずみを発生させるための部材である。起歪体１４ａは、長手方向を前後方向に向けた略直方体状に形成されると共に、その前後中途部は中空状に形成される。起歪体１４ａは、筐体１１内の後部に配置され、当該起歪体１４ａの後端下部が筐体１１に固定される。起歪体１４ａには、当該起歪体１４ａのひずみを検出するための歪ゲージ（不図示）が適宜設けられる。
【００２４】
受け部１４ｂは、起歪体１４ａの前端上部に固定される部分である。受け部１４ｂは、起歪体１４ａから上方に向けて突設される。受け部１４ｂの上端部は、筐体１１の上面に形成された開口部を介して、当該筐体１１の外部（上方）まで延設される。
【００２５】
このように構成されたロードセル１４において、受け部１４ｂに荷重が加わることによって生じた起歪体１４ａのひずみを、前記歪ゲージによって検出することで、当該荷重を検出することができる。
【００２６】
操作キー１５は、計量装置１に関する操作を行うための操作手段である。操作キー１５は、筐体１１の前面の左右両端部近傍に適宜の数だけ配置される。
【００２７】
表示部１６は、計量装置１に関する各種の情報を表示するものである。表示部１６は、筐体１１の前面の左右略中央部に配置される。
【００２８】
制御基板１７は、計量装置１に関する各種の演算や記憶等の制御を行うためのものである。制御基板１７には、後述するＣＰＵ３３やメモリ３４等が配置される。制御基板１７は、筐体１１内の前部（当該筐体１１の前面のすぐ背後）に配置される。
【００２９】
計量皿２０は、本発明に係る載置部の一実施形態であり、略矩形板状の部材である。計量皿２０は本体部１０の上方に配置される。計量皿２０の下面略中央部は、ロードセル１４の受け部１４ｂの上端部に固定されて支持される。これによって、計量皿２０に載置される被計量物の荷重が、ロードセル１４の受け部１４ｂに加えられることになる。
【００３０】
次に、図３を用いて、計量装置１の制御に関する構成について説明する。
【００３１】
計量装置１は、制御に関する構成として、ロードセル１４、増幅回路３１、Ａ／Ｄコンバータ３２、ＣＰＵ３３、メモリ３４、表示部１６及び操作キー１５を具備する。
【００３２】
ロードセル１４からのアナログ信号は、増幅回路３１において増幅された後、Ａ／Ｄコンバータ３２においてデジタル信号へと変換される。当該変換されたデジタル信号は、ＣＰＵ３３に入力される。
【００３３】
ＣＰＵ３３は、本発明に係る制御手段の一実施形態であり、メモリ３４に記憶された制御プログラムに従って、受信したデジタル信号からロードセル１４に加えられた荷重（ひいては、計量皿２０に載置された被計量物の重量）を算出する。ＣＰＵ３３は、当該算出された値を表示部１６に表示させることができる。当該表示は所定の時間間隔（利用者が読み取ることができる程度の時間間隔）ごとに更新され、利用者は被計量物の重量を確認することができる。
【００３４】
また、ＣＰＵ３３は、上記被計量物の重量だけでなく、その他各種の情報を表示部１６に表示させることができる。
【００３５】
また、操作キー１５からの操作信号はＣＰＵ３３に入力され、ＣＰＵ３３は当該操作信号に基づいて所定の操作（設定等）を行う。
【００３６】
次に、図４から図６までを用いて、計量装置１の操作の方法について説明する。
【００３７】
ここで、計量装置１の操作とは、下記で例示するように、利用者の指示（計量皿２０を用いた操作）に従って、ＣＰＵ３３が計量装置１に関する各種の設定や電源の入り切りを行うことを意味する。
【００３８】
まず、図４を用いて、計量装置１の電源の入切（オンとオフの切り替え）操作について説明する。
【００３９】
計量装置１の電源がオフ（切）の状態において、利用者は計量皿２０を用いて所定の操作を行うことによって、計量装置１の電源をオン（入）に切り替えることができる。以下、具体的に説明する。
【００４０】
図４（ａ）に示すように、計量皿２０に何も載置されておらず、かつ利用者が当該計量皿２０を操作（押し下げたり引き上げたりする操作）をしていない場合、ロードセル１４によって検出される荷重は「０」である（図４（ａ）のグラフの左端部参照）。
【００４１】
利用者は、計量装置１の電源をオンに切り替える場合、まず計量皿２０を掴んで引き上げる。これによって、ロードセル１４によって検出される荷重は負の値まで低下する。本実施形態においては、当該荷重は閾値−Ｗｔよりも小さいＷ２まで低下するものとする。
【００４２】
ここで、閾値−Ｗｔは、利用者による操作の有無を判定するために設けられる値であり、予め任意の値に設定される。また、Ｗｔは正の値であるものとする。
【００４３】
利用者がそのまま計量皿２０を引き上げた状態に保持すると、ロードセル１４によって検出される荷重もＷ２のまま保持される。利用者は、ロードセル１４によって検出される荷重が−Ｗｔを下回った時（Ｔ１）から５秒以上経過した後に、計量皿２０を引き上げるのを止める。これによって、ロードセル１４によって検出される荷重が０になる。
【００４４】
利用者はさらに続けて、計量皿２０を押し下げる。これによって、ロードセル１４によって検出される荷重は上昇する。本実施形態においては、当該荷重は閾値Ｗｔよりも大きいＷ１まで上昇するものとする。
【００４５】
利用者がそのまま計量皿２０を押し下げた状態に保持すると、ロードセル１４によって検出される荷重もＷ１のまま保持される。利用者は、ロードセル１４によって検出される荷重がＷｔを上回った時（Ｔ２）から５秒以上経過した後に、計量皿２０を押し下げるのを止める。これによって、ロードセル１４によって検出される荷重が０になる。
【００４６】
利用者は、このような一連の操作（計量皿２０を引き上げた後、押し下げる操作）を、ロードセル１４によって検出される荷重が−Ｗｔを下回った時（Ｔ１）から２０秒以内に行う。ＣＰＵ３３は、当該操作が行われると計量装置１の電源をオンに切り替え、当該計量装置１を使用可能な状態とする。
【００４７】
一方、計量装置１の電源がオンの状態において、利用者は計量皿２０を用いて所定の操作を行うことによって、計量装置１の電源をオフに切り替えることができる。以下、具体的に説明する。
【００４８】
計量装置１の電源をオフに切り替える場合、図４（ｂ）に示すように、利用者は計量皿２０を手で引き上げ、ロードセル１４によって検出される荷重を閾値−Ｗｔよりも低い値（例えばＷ２）まで低下させた状態を１０秒以上継続させる。ＣＰＵ３３は、当該操作が行われると計量装置１の電源をオフに切り替え、当該計量装置１を使用不可能な状態とする。
【００４９】
このように、ある特定の操作（上記例においては、計量装置１の電源をオン又はオフに切り替える操作）を行うために要求されるロードセル１４による検出のパターンは、予め設定され、メモリ３４に記憶されている。利用者は、ロードセル１４に加わる荷重を、予め設定された所定のパターンに従って変化させることによって、計量装置１の電源をオン又はオフに切り替えることができる。
【００５０】
次に、計量装置１が有するモードについて説明する。
【００５１】
計量装置１は、「計量モード」及び「設定モード」の２つのモードを有する。「計量モード」とは、計量装置１が被計量物の重量を計量するモードである。また「設定モード」とは、計量装置１に関する各種の設定を行うモードである。
【００５２】
まず、図５を用いて、計量モードから設定モードへの切り替え操作について説明する。
【００５３】
計量装置１の電源がオンに切り替えられた時点では、当該計量装置１のモードは計量モードとなっている。当該計量モードにおいては、予め定められた設定状態（初期設定状態）で被計量物の重量を計量することができる。
【００５４】
この計量モードにおいて、利用者は計量皿２０を用いて所定の操作を行うことによって、計量装置１を設定モードに切り替えることができる。以下、具体的に説明する。
【００５５】
計量装置１を設定モードに切り替える場合、図５に示すように、利用者はまず計量皿２０を手で引き上げ、ロードセル１４によって検出される荷重を閾値−Ｗｔよりも低い値（例えばＷ２）まで低下させた状態を約５秒間（本実施形態においては５秒以上１０秒未満とする）継続させる。
【００５６】
その後利用者は、計量皿２０を手で押し下げ、ロードセル１４によって検出される荷重を閾値Ｗｔよりも高い値（例えばＷ１）まで上昇させた状態を約５秒間（５秒以上１０秒未満）継続させる。
【００５７】
さらに利用者は、再度計量皿２０を手で引き上げ、ロードセル１４によって検出される荷重を閾値−Ｗｔよりも低い値（例えばＷ２）まで低下させた状態を約５秒間（本実施形態においては５秒以上１０秒未満とする）継続させる。
【００５８】
利用者は、このような一連の操作（計量皿２０を引き上げた後に押し下げ、さらにまた引き上げる操作）を３０秒以内に行う。ＣＰＵ３３は、当該操作が行われると計量装置１のモードを計量モードから設定モードに切り替える。
【００５９】
ＣＰＵ３３は、計量装置１のモードを設定モードに切り替えると共に、その旨を表示部１６に表示させる。これによって、利用者は計量装置１が設定モードに切り替えられたことを認識することができる。その後利用者が計量皿２０から手を離し、荷重が０になったとしても、計量装置１は設定モードを維持する。
【００６０】
次に、図５及び図６を用いて、設定モードの詳細について説明する。
【００６１】
設定モードでは、図６に示すように、主に目標重量（上下限）の設定（項目１）、ゼロ点調整（項目２）、風袋引きの設定（項目３）及びその他の設定（項目４）を行うことができる。以下では、まずこれらの項目の選択方法を説明し、各項目の詳細については後述する。
【００６２】
計量装置１が設定モードに切り替えられると、ＣＰＵ３３は、「目標重量（上下限）の設定」（項目１）という文字を表示部１６に表示させる。この状態で、利用者が計量皿２０を用いて所定の操作（決定操作）を行うと、ＣＰＵ３３は当該項目１を選択（決定）し、目標重量（上下限）の設定を開始する。また、利用者が計量皿２０を用いて所定の操作（項目送り操作）を行うと、ＣＰＵ３３は次の項目（すなわち、「ゼロ点調整」（項目２））を表示部１６に表示させる。
【００６３】
ここで「決定操作」とは、計量皿２０を引き上げて、ロードセル１４によって検出される荷重を閾値−Ｗｔよりも低い値（例えばＷ２）まで一度低下させた後、当該荷重を閾値−Ｗｔよりも高い値（例えば０）まで再び上昇させる、というパターンの操作とする。
【００６４】
また「項目送り操作」とは、計量皿２０を押し下げて、ロードセル１４によって検出される荷重を閾値Ｗｔよりも高い値（例えばＷ１）まで一度上昇させた後、当該荷重を閾値Ｗｔよりも低い値（例えば０）まで再び低下させる、というパターンの操作とする。
【００６５】
表示部１６に「ゼロ点調整」（項目２）が表示された状態で、利用者が前記決定操作を行うと、ＣＰＵ３３は当該項目２を選択し、ゼロ点調整を開始する。また、利用者が前記項目送り操作を行うと、ＣＰＵ３３は次の項目（すなわち、「風袋引きの設定」（項目３））を表示部１６に表示させる。
【００６６】
同様に、利用者が前記項目送り操作を行うごとに、ＣＰＵ３３は、項目１、項目２、項目３、項目４（「その他の設定」）、項目５（「設定モード終了」）の順に表示部１６に表示させる。また、表示部１６に項目５が表示された状態で、利用者が前記項目送り操作を行うと、ＣＰＵ３３は再び項目１を表示部１６に表示させる。
【００６７】
このように、ＣＰＵ３３は、項目１から項目５までの項目を１つの階層（階層１）とし、利用者が前記項目送り操作を行うごとに階層１内の項目を順に表示部１６に表示させる。
【００６８】
次に、「目標重量（上下限）の設定」（項目１）の詳細について説明する。
【００６９】
項目１が選択されると、ＣＰＵ３３は、目標重量（上下限）の設定を開始する。ここで、目標重量（上下限）の設定とは、被計量物の重量の目標となる値（目標重量）を設定することであり、より詳細には、被計量物の目標重量の許容範囲（上限値及び下限値）を設定することである。
【００７０】
項目１が選択されると、ＣＰＵ３３は、まず被計量物の目標重量の上限値の設定を開始する。この場合、ＣＰＵ３３はその旨及び「０」という数値を表示部１６に表示させる。
【００７１】
この状態で、利用者が計量皿２０を押し下げると、ロードセル１４によって検出される荷重に応じて、ＣＰＵ３３は表示部１６に表示させた数値を増加させる。
【００７２】
具体的には、ロードセル１４によって検出される荷重が小さい（例えば、所定値Ｗａ（０より大きい値）未満である）場合、ＣＰＵ３３は数値の１桁目を増加させる。ロードセル１４によって検出される荷重がやや大きい（例えば、所定値Ｗａ以上、かつ所定値Ｗｂ未満である）場合、ＣＰＵ３３は数値の２桁目を増加させる。ロードセル１４によって検出される荷重がさらに大きい（例えば、所定値Ｗｂ以上である）場合、ＣＰＵ３３は数値の３桁目を増加させる。
【００７３】
このように、利用者は計量皿２０を押し下げる力の強さを調節することで、数値の増加速度（単位時間あたりの数値の増加量）を変更することができる。これによって、大きな値まで数値を素早く増加させたり、数値をゆっくり増加させて微調整を行ったりすることができる。また、利用者が計量皿２０の押し下げを止めると、ＣＰＵ３３はその時点で前記数値の増加を停止させる。
【００７４】
一方、利用者が計量皿２０を引き上げ、ロードセル１４によって検出される荷重を０未満の値まで低下させると、ＣＰＵ３３は表示部１６に表示させた数値を減少させる。また、利用者が計量皿２０の引き上げを止めると、ＣＰＵ３３はその時点で前記数値の減少を停止させる。
【００７５】
利用者が計量皿２０を押し下げることも引き上げることもなく、ロードセル１４によって検出される荷重が０のまま約５秒間経過すると、ＣＰＵ３３はその時点で表示部１６に表示されている数値を、被計量物の目標重量の上限値として設定する。
【００７６】
その後ＣＰＵ３３は、被計量物の目標重量の下限値の設定を開始する。この場合、ＣＰＵ３３はその旨及び「０」という数値を表示部１６に表示させる。当該下限値の設定も、上限値の設定と同様の操作で行われる。
【００７７】
このようにして被計量物の目標重量の許容範囲が設定されると、ＣＰＵ３３は計量装置１を設定モードから計量モードに切り替える。この状態で被計量物を計量皿２０に載置すると、ＣＰＵ３３は当該被計量物の重量を表示部１６に表示すると共に、当該重量が目標重量よりも高い（過量）か低い（軽量）かという情報を表示部１６に併せて表示する。利用者は、当該情報を認識することにより、直感的に被計量物の重量を目標重量の許容範囲内となるように調節することができる。
【００７８】
次に、「ゼロ点調整」（項目２）の詳細について説明する。
【００７９】
図６に示す項目２が選択されると、ＣＰＵ３３は、約５秒後にロードセル１４に加えられている荷重が「０」であるものとし、計量装置１を設定モードから計量モードに切り替える。従ってＣＰＵ３３は、計量モードに切り替えた時点で表示部１６に「０」という数値を表示する。このように、ゼロ点調整を行うことで、その時点での荷重が「０」であるものとして計量を行うことが可能となる。
【００８０】
次に、「風袋引きの設定」（項目３）の詳細について説明する。
【００８１】
項目３が選択されると、ＣＰＵ３３は、風袋引きの設定を開始する。ここで、風袋引きの設定とは、風袋引き（被計量物の容器の重量を差し引いて、当該被計量物の正味の重量を計量すること）の際に差し引かれる重量を設定することである。
【００８２】
項目３が選択されると、ＣＰＵ３３は、その旨を表示部１６に表示させる。ＣＰＵ３３は、当該表示を行った時点から予め定められた時間（例えば、１０秒）が経過した時点でロードセル１４に加えられている荷重（重量）が被計量物の容器の重量であるものとして、当該重量をメモリ３４に記憶する。従って利用者は、この１０秒の間に差し引きたい物（被計量物の容器）を計量皿２０に載置し、当該容器の重量をメモリ３４に記憶させる。
【００８３】
ＣＰＵ３３は、上記記憶を行った後、計量装置１を設定モードから計量モードに切り替える。この計量モードにおいては、ＣＰＵ３３は上記記憶された重量を差し引いた重量を表示部１６に表示する。これによって、当該表示部１６には被計量物の容器の重量が差し引かれた正味の重量が表示されることになり、被計量物の計量を行い易くすることができる。
【００８４】
次に、「その他の設定」（項目４）の詳細について説明する。
【００８５】
項目４が選択されると、ＣＰＵ３３は、階層１よりもさらに深い階層（階層２）の項目４−１（「オートオフ時間の設定」）に移行し、当該「オートオフ時間の設定」という文字を表示部１６に表示させる。
【００８６】
階層２において、ＣＰＵ３３は前述の階層１と同様に、利用者が前記項目送り操作を行うごとに階層２内の項目（項目４−１、項目４−２（「表示部の明るさの設定」）、項目４−３（「ブザーの設定」）及び項目４−４（「１つ前の階層に戻る」））を順に表示部１６に表示させる。
【００８７】
また、利用者が前記決定操作を行うと、ＣＰＵ３３はその時点で表示部１６に表示されている項目を選択し、当該項目（設定）を開始する。
【００８８】
ここで、「オートオフ時間の設定」（項目４−１）とは、計量装置１のオートオフ機能（一定時間継続して操作されない場合に自動的に電源を切る機能）が実行されるまでの時間の設定である。
「表示部の明るさの設定」（項目４−２）とは、表示部１６の明るさの設定（調節）である。
「ブザーの設定」（項目４−３）とは、計量装置１が有するブザー（不図示）を使用するか否かの設定である。
【００８９】
上記項目４−１から項目４−３においては、詳細な説明は省略するが、階層１の各項目と同様に利用者が予め定められた所定のパターンで計量皿２０を操作（押し下げたり、引き上げたり）することによって、それぞれの項目の設定を行うことができる。
【００９０】
また、上記項目４−４が選択されると、ＣＰＵ３３は１つ前の階層（階層１）に移行し、再び項目１を表示部１６に表示させる。このように、利用者は階層１の項目４又は階層２の項目４−４を選択することによって、階層１と階層２の間を任意に移行することができる。
【００９１】
次に、階層１の「設定モード終了」（項目５）の詳細について説明する。
【００９２】
項目５が選択されると、ＣＰＵ３３は、計量装置１のモードを設定モードから計量モードに切り替える。すなわち、利用者は項目５を選択することで、設定モードを終了させて被計量物の重量を計量することが可能となる。
【００９３】
以上の如く、本実施形態に係る計量装置１は、被計量物が載置される計量皿２０（載置部）と、計量皿２０に加わる荷重を検出するロードセル１４（荷重検出手段）と、ロードセル１４によって検出された荷重に基づいて前記被計量物の重量を計量するＣＰＵ３３（制御手段）と、を具備する計量装置１であって、ＣＰＵ３３は、計量皿２０に加わる荷重に応じて当該計量装置１の操作を行うことが可能なものである。
【００９４】
このように構成することにより、操作キー１５の部品コストの削減を図ると共に、操作性の向上を図ることができる。すなわち、本実施形態においては特に言及していないが、計量皿２０を用いて各種操作を可能とすることで、操作キー１５を必要最低限の個数まで削減（若しくは、完全に廃止）することができるため、当該部品コストの削減を図ることができる。また、操作キー１５に比べて、被計量物を載置する計量皿２０は大きいため、利用者は当該計量皿２０を操作し易い。さらに、操作キー１５の個数を削減することによって、当該操作キー１５の誤操作（押し間違い）の発生も抑制することができる。
さらにまた、計量皿２０を用いて各種操作を可能とすることで、異なる機種の計量装置の間で操作方法を共通化することが容易となる。このように操作方法の共通化を図ることで、一の機種の利用者が、異なる機種の計量装置を利用する場合であっても、容易に操作することが可能となる。
【００９５】
また、ＣＰＵ３３は、予め設定された所定のパターンの荷重が計量皿２０に加わった場合に前記計量装置１の操作を行うものである。
【００９６】
このように、所定のパターンを設定しておくことによって、計量皿２０による誤操作を防止することができる。
特に、自然に発生し難いパターンを設定しておくことで、誤操作をより効果的に防止することができる。たとえば、ロードセル１４によって検出される荷重が−Ｗｔを下回るような状態は計量装置１を使用する上で自然に発生し難いものであり、この状態を所定時間以上維持するようなパターン（例えば、図４（ｂ）参照）を予め設定しておくことによって、計量装置１の計量皿２０に一時的に何か物が載置されたり荷重が加えられた場合に誤操作が発生するのを防止することができる。また、ロードセル１４によって検出される荷重が−Ｗｔを下回る状態とＷｔを上回る状態とを組み合わせたより複雑なパターン（例えば、図４（ａ）参照）を予め設定しておくことによって、より効果的に計量皿２０による誤操作を防止することができる。
【００９７】
また、前記計量装置１の操作には、前記被計量物の重量を計量する計量モード及び各種の設定を行う設定モードの２つのモードを切り替える操作、ゼロ点を調整する操作、前記被計量物の目標重量を設定する操作、風袋引きを設定する操作、及び電源の入切を切り替える操作が含まれるものである。
【００９８】
このように、誤操作の発生し易いと考えられる複雑な各種操作を計量皿２０を用いて行うことによって、より効果的に誤操作の発生を抑制することができる。
【００９９】
なお、本実施形態においては、図１及び図２に示したように、厨房等で利用される比較的小型の計量装置１を例示したが、本発明はこれに限るものではなく、種々の計量装置（載置部（計量皿２０）を用いて操作可能な電子秤）に適用することが可能である。
【０１００】
また、本実施形態においては、計量装置１は２つのモード（計量モード及び設定モード）を有するものとしたが、３つ以上のモードを有するものであっても良い。
【０１０１】
また、本実施形態においては、設定モードにおいて各種項目（項目１から項目４まで、並びに項目４−１から項目４−３まで）を設定するものとしたが、本発明はこれに限るものではない。すなわち、計量モードにおいて所定のパターンで計量皿２０を操作する（ロードセル１４に荷重を加える）ことによって、モードを切り替えることなく、直接上記各種項目を設定する構成とすることも可能である。
【０１０２】
また、本実施形態においては、計量装置１の設定に関する項目として階層１（項目１から項目５まで）及び階層２（項目４−１から項目４−４まで）の各項目を例示したが、本発明はこれに限るものではなく、任意の項目を任意の順に設けることが可能である。また、階層の深さも本実施形態の如く２段階（階層１及び階層２）に限るものではなく、３段階以上の階層の深さとすることも可能である。
【０１０３】
また、本実施形態の項目１（目標重量（上下限）の設定）においては、利用者は計量皿２０を押し下げる力の強さを調節することで、数値の増加速度を変更することができるものとしたが、本発明はこれに限るものではなく、例えば計量皿２０を押し下げてから時間が経過するごとに当該数値の増加速度が増加する構成とすることも可能である。
【０１０４】
また、ＣＰＵ３３は、計量皿２０とは別に設けられる操作検出手段（例えば、操作キー１５）による操作と、計量皿２０による操作（計量皿２０に加わる荷重）との組み合わせによって、前記計量装置１の操作を行う構成とすることも可能である。
例えば、項目１（目標重量（上下限）の設定）において、ＣＰＵ３３は、計量皿２０が押し下げられると表示部１６に表示させた数値を増加させ、所定の操作キー１５を押しながら計量皿２０が押し下げられると表示部１６に表示させた数値を減少させる。このように、計量皿２０とそれ以外の操作検出手段（操作キー１５）の操作を組み合わせることで、誤操作の防止を図ると共に、組み合わせ方によっては計量皿２０のみを操作する場合よりも容易な操作を設定することが可能となる。
【０１０５】
また、本実施形態においては、計量装置１は操作キー１５を有する構成としたが、全ての操作を計量皿２０を用いて行うものとして、当該操作キー１５を廃止することも可能である。
【０１０６】
また、本実施形態では、利用者が計量皿２０を予め設定された所定のパターンに従って操作する（押し下げたり引き上げたりする）ことで、各種の操作を行うことができるものとしたが、当該所定のパターンは厳密なものではなく、ある程度の許容範囲を有するように設定されることが望ましい。
例えば、ロードセル１４によって検出される荷重が閾値−Ｗｔを下回った状態で５秒間だけ維持するものと設定するのではなく、５秒以上１０秒未満の間維持するものと設定する。この場合、利用者が計量皿２０を引き上げ、荷重が閾値−Ｗｔを下回ってから５秒以上１０秒未満の間に再び荷重を閾値−Ｗｔより大きい値まで増加させた場合、ＣＰＵ３３は当該検出のパターンが予め設定された所定のパターンと一致したものとして、計量装置１の操作を行う。このように、ある程度の許容範囲（上記の例では５秒以上１０秒未満の時間範囲）を設けることで、利用者による操作が容易となる。
【０１０７】
また、本実施形態においては、１つのロードセル１４を用いるものとしたが、複数のロードセル１４を用いて荷重を検出し、当該検出に基づいて計量装置１の操作を行う構成とすることも可能である。
例えば、図７に示すように、計量皿２０の四隅を、４つのロードセル１４・１４・・・の受け部１４ｂ・１４ｂ・・・でそれぞれ支持し、ＣＰＵ３３は当該ロードセル１４・１４・・・それぞれの荷重を検出するものとする。このような構成において、例えば利用者が計量皿２０の上面に時計回りに円を描くようにして当該計量皿２０を押し下げる（図７中の太線矢印参照）と、ＣＰＵ３３が各ロードセル１４・１４・・・の荷重の変化から当該利用者による計量皿２０の操作を検出し、所定の設定を行うものとする。このように、計量皿２０の上面に所定の図形を描くように荷重を加えることで、複数種類の操作を行うことができるようになる。
【符号の説明】
【０１０８】
１    計量装置
１０  本体部
１４  ロードセル（荷重検出手段）
１５  操作キー（操作検出手段）
１６  表示部
１７  制御基板
２０  計量皿（載置部）
３３  ＣＰＵ（制御手段）
【図１】
2014163668.tif 000003
【図２】
2014163668.tif 000004
【図３】
2014163668.tif 000005
【図４】
2014163668.tif 000006
【図５】
2014163668.tif 000007
【図６】
2014163668.tif 000008
【図７】
2014163668.tif 000009